(57)【要約】【課題】新たな災害を考慮して外部装置のバックアップデータの保全性を高める。【解決手段】バックアップ制御処理部１１４は、災害予兆受信部１１２を介して災害予兆情報を受信すると、外部装置に予め設定されていたバックアップ対象データのバックアップデータを記憶する。バックアップ制御処理部１１４は、災害収束兆候判定部１１３を介して災害収束の兆候ありと判定すると、外部装置に記憶されたバックアップデータを段階的に削除する。【選択図】図２
2016049668.tif 000002
【特許請求の範囲】
【請求項１】
災害予兆情報を受信して外部装置にバックアップデータを記憶するバックアップ制御部を備えた画像形成装置であって、
前記バックアップ制御部は、
災害収束の兆候ありと判定した場合に、前記外部装置に記憶されたバックアップデータを段階的に削除する
ことを特徴とする画像形成装置。
【請求項２】
前記外部装置に記憶されたバックアップデータには重要度が設定されており、
前記バックアップ制御部は、
災害収束の兆候ありと判定された場合に、前記重要度の高いバックアップデータから順に削除する
ことを特徴とする請求項１に記載の画像形成装置。
【請求項３】
前記バックアップ制御部は、
前記災害予兆情報を受信した場合に、前記外部装置にバックアップするデータとして設定されたバックアップ対象データと前記外部装置に現在記憶されているバックアップデータとの差分をとり、差分データを前記外部装置に記憶する
ことを特徴とする請求項１又は２に記載の画像形成装置。
【請求項４】
前記バックアップ制御部は、
前記外部装置にバックアップデータが記憶されている状態で、新たな災害予兆情報が受信されない場合、所定時間経過する毎に前記災害収束の兆候ありと判定する災害収束兆候判定部を有する
ことを特徴とする請求項１から３までのいずれか１項に記載の画像形成装置。
【請求項５】
前記災害収束兆候判定部は、前記災害予兆情報に対応する警報解除を受信した場合に、前記災害収束の兆候ありと判定する
ことを特徴とする請求項４に記載の画像形成装置。
【請求項６】
前記バックアップ制御部は、
前記災害収束の兆候ありとの判定の信頼度に応じて、前記外部装置から削除するバックアップデータの量を変える
ことを特徴とする請求項１から５までのいずれか１項に記載の画像形成装置。
【発明の詳細な説明】
【技術分野】
【０００１】
本発明は、災害時にバックアップデータを外部装置に送信可能な画像形成装置に関する。
【背景技術】
【０００２】
画像形成装置においては、緊急警報を受信すると、主電源を切ったり、データを外部装置にバックアップする等の安全対策を取る仕組みが提案されている（例えば、特許文献１、２を参照）。特許文献２の技術では、外部装置にバックアップした機密情報が流出しないように、緊急警報を受信してから一定時間経過後に災害が検出されなかった場合や、画像形成装置の被災が軽微であった場合に、外部装置のバックアップデータを削除している。
【先行技術文献】
【特許文献】
【０００３】
【特許文献１】特開平10-143029号公報
【特許文献１】特開2008-244892号公報
【発明の概要】
【発明が解決しようとする課題】
【０００４】
ところで、地震のような災害の場合、最初の被災が軽微であっても、余震等による新たな災害によって深刻な被災となる場合がある。しかしながら、従来の技術では、新たな災害が発生したときには既に外部装置のバックアップデータが削除されているという問題があった。
【０００５】
本発明は上記課題に鑑みてなされたものであり、上記課題を解決することができる技術を提供することを目的とする。
【課題を解決するための手段】
【０００６】
本発明の画像形成装置は、災害予兆情報を受信して外部装置にバックアップデータを記憶するバックアップ制御部を備えた画像形成装置であって、前記バックアップ制御部は、災害収束の兆候ありと判定した場合に、前記外部装置に記憶されたバックアップデータを段階的に削除することを特徴とする。
また、前記外部装置に記憶されたバックアップデータには重要度が設定されており、前記バックアップ制御部は、災害収束の兆候ありと判定された場合に、前記重要度の高いバックアップデータから順に削除してもよい。
また、前記バックアップ制御部は、前記災害予兆情報を受信した場合に、前記外部装置にバックアップするデータとして設定されたバックアップ対象データと前記外部装置に現在記憶されているバックアップデータとの差分をとり、差分データを前記外部装置に記憶してもよい。
また、前記バックアップ制御部は、前記外部装置にバックアップデータが記憶されている状態で、新たな災害予兆情報が受信されない場合、所定時間経過する毎に前記災害収束の兆候ありと判定する災害収束兆候判定部を有してもよい。
また、前記災害収束兆候判定部は、前記災害予兆情報に対応する警報解除を受信した場合に、前記災害収束の兆候ありと判定してもよい。
また、前記バックアップ制御部は、前記災害収束の兆候ありとの判定の信頼度に応じて、前記外部装置から削除するバックアップデータの量を変えてもよい。
【発明の効果】
【０００７】
本発明によれば、新たな災害を考慮して外部装置のバックアップデータの保全性を高めることができる技術を提供できる。
【図面の簡単な説明】
【０００８】
【図１】本発明に係る実施形態の画像形成装置の断面模式図である。
【図２】図１に示す画像形成装置の概略制御構成を示すブロック図である。
【図３】図２に示すバックアップ設定部の設定内容を示した例である。
【図４】図２に示すバックアップ制御処理部の状態遷移図である。
【図５】図２に示すバックアップ制御処理部の処理の流れを示すフローチャートである。
【発明を実施するための形態】
【０００９】
次に、本発明の実施の形態を、図面を参照して具体的に説明する。
本発明の実施の形態の画像形成装置１００は、複写機能、印刷機能、スキャナー機能等を有する複合機であり、図１を参照すると、原稿読取部１２０と、原稿給送部１３０と、記録部１４０とを備えている。原稿読取部１２０は、記録部１４０の上部に配設され、原稿給送部１３０は、原稿読取部１２０の上部に配設されている。
【００１０】
画像形成装置１００の手前側には、画像形成装置１００の設定や動作指示を行う操作パネル４が配設されている。操作パネル４は、タッチパネル４１、操作ボタン４２が設けられている。ユーザーは操作パネル４を操作して指示を入力することで、画像形成装置１００の各種の設定を行い、画像形成等の各種機能を実行させる。タッチパネル４１は、操作入力を受け付ける各種操作キーを表示する表示部の表示面に設けられ、操作者の指先やスタイラス等の押圧による入力を検知し、入力が検知された位置に対応する信号を出力することで、表示部に表示された操作キーへの操作を受け付ける。操作ボタン４２としては、画像形成を開始するようにユーザーが指示するスタートボタン、画像形成を中止する際等に使用するストップ／クリアボタン、画像形成装置１００の各種設定をデフォルト状態にする際に使用するリセットボタン、テンキー等が設けられている。
【００１１】
原稿読取部１２０は、スキャナー１２１と、プラテンガラス１２２と、原稿読取スリット１２３とを備えている。スキャナー１２１は、露光ランプ及びＣＣＤ（Charge Coupled Device）センサー等から構成され、原稿給送部１３０による原稿ＭＳの搬送方向に移動可能に構成されている。プラテンガラス１２２は、ガラス等の透明部材により構成された原稿台である。原稿読取スリット１２３は、原稿給送部１３０による原稿ＭＳの搬送方向と直交方向に形成されたスリットを有する。
【００１２】
原稿給送部１３０は、可倒式に構成され、原稿給送部１３０を上方に持ち上げることで、プラテンガラス１２２の上面を開放させ、原稿ＭＳをプラテンガラス１２２に載置することができる。プラテンガラス１２２に載置された原稿ＭＳを読み取る場合には、スキャナー１２１は、プラテンガラス１２２に対向する位置に移動され、プラテンガラス１２２に載置された原稿ＭＳを走査しながら原稿ＭＳを読み取って画像データを取得する。
【００１３】
また、原稿給送部１３０は、原稿載置部１３１と、原稿排出部１３２と、原稿搬送機構１３３とを備えている。原稿載置部１３１に載置された原稿ＭＳは、原稿搬送機構１３３によって、１枚ずつ順に繰り出されて、原稿読取部１２０の原稿読取スリット１２３に対向する位置へ搬送され、その後、原稿排出部１３２に排出される。原稿給送部１３０により搬送された原稿ＭＳを読み取る場合には、スキャナー１２１は、原稿読取スリット１２３と対向する位置に移動され、原稿読取スリット１２３を介し、原稿給送部１３０による原稿ＭＳの搬送動作と同期して原稿ＭＳを読み取って画像データを取得する。
【００１４】
記録部１４０は、画像形成部１５０を備えると共に、給紙部１６０と、搬送路１７０と、搬送ローラー１８１と、排出ローラー１８２と、胴内排出トレイ１９０とを備えている。排紙部である胴内排出トレイ１９０は、原稿読取部１２０と記録部１４０との間に形成された排紙空間１９１に設けられている。
【００１５】
給紙部１６０は、記録紙Ｐを収納する給紙カセット１６１ａ〜ｄと、給紙カセット１６１ａ〜ｄから記録紙Ｐを１枚ずつ搬送路１７０に繰り出す給紙ローラー１６２とを備えている。給紙ローラー１６２、搬送ローラー１８１及び排出ローラー１８２が搬送部として機能し、記録紙Ｐが搬送される。給紙ローラー１６２によって搬送路１７０に繰り出された記録紙Ｐは、搬送ローラー１８１によって画像形成部１５０に搬送される。
【００１６】
画像形成部１５０は、感光体ドラム１５１と、帯電部１５２と、露光部１５３と、現像部１５４と、転写部１５５と、クリーニング部１５６と、定着部１５７とを備えている。露光部１５３は、レーザー装置やミラー等を備えた光学ユニットである。露光部１５３は、画像データに基づいてレーザー光を出力して、帯電部１５２によって帯電された感光体ドラム１５１を露光し、感光体ドラム１５１の表面に静電潜像を形成する。現像部１５４は、トナーを用いて感光体ドラム１５１に形成された静電潜像を現像する現像ユニットである。現像部１５４は、静電潜像に基づいたトナー像を感光体ドラム１５１上に形成させる。転写部１５５は、現像部１５４によって感光体ドラム１５１上に形成されたトナー像を記録紙Ｐに転写させる。定着部１５７は、転写部１５５によってトナー像が転写された記録紙Ｐを加熱してトナー像を記録紙Ｐに定着させる。
【００１７】
画像形成部１５０によって記録が施された記録紙Ｐは、排出ローラー１８２に導かれて胴内排出トレイ１９０に印刷物として出力される。
【００１８】
図２には、画像形成装置１００の概略制御構成を示すブロック図が示されている。上述の操作パネル４、原稿読取部１２０、原稿給送部１３０、画像形成部１５０及び搬送部（給紙ローラー１６２、搬送ローラー１８１、排出ローラー１８２）は、制御部１に接続され、制御部１によって動作制御される。また、制御部１には、記憶部２と、画像処理部３とが接続されている。
【００１９】
記憶部２は、原稿読取部１２０によって原稿を読み取ることで取得された画像データが記憶される、半導体メモリやＨＤＤ（Hard Disk Drive）等の記憶手段である。また、記憶部２には、社外秘画像データ、アドレス帳情報、ユーザー管理リスト、各種機能の設定値等が記憶されている。
【００２０】
画像処理部３は、画像データに対して所定の画像処理を行う手段である。画像処理部３では、例えば、拡大縮小処理や、濃度調整、階調調整等の画像改善処理が行われる。
【００２１】
制御部１は、ＲＯＭ（Read Only Memory）、ＲＡＭ（Random Access Memory）等を備えたマイクロコンピュータ等の情報処理部である。ＲＯＭには画像形成装置１００の動作制御を行うための制御プログラムが記憶されている。制御部１は、ＲＯＭに記憶されている制御プログラムを読み出し、制御プログラムをＲＡＭに展開させることで、装置全体の制御を行う。
【００２２】
また、制御部１は、災害予兆情報を受信した場合に、記憶部２に記憶されたデータのうち、バックアップ対象データとして設定されたデータを外部装置３００にバックアップするとともに、災害収束の兆候があった場合に、バックアップ対象データの重要度が高い順に、外部装置３００に記憶されたバックアップデータを削除するバックアップ制御部１１として機能する。
【００２３】
バックアップ制御部１１は、バックアップ設定部１１１と災害予兆受信部１１２と災害収束兆候判定部１１３とバックアップ制御処理部１１４とを有している。
【００２４】
バックアップ設定部１１１では、記憶部２に記憶されたデータのうち、いずれのデータをバックアップ対象とするかを設定したり、バックアップ対象として設定されたデータの重要度を設定したりする機能を有する。
【００２５】
例えば、図３は、バックアップ設定部１１１における設定内容を示した一例である。図３では、バックアップ対象データとして、社外秘画像データ、アドレス帳情報、ユーザー管理リスト、各種機能の設定値が設定されている。社外秘画像データ、アドレス帳情報、ユーザー管理リスト、各種機能の設定値は、それぞれ記憶部２に記憶されたデータである。また、各バックアップ対象データの重要度では、社外秘画像データが「１」、アドレス帳情報が「２」、ユーザー管理リストが「３」、各種機能の設定値が「４」に設定されており、数値が小さいほど重要度が高く設定されている。バックアップ対象データの重要度は、セキュリティー上重要なデータほど重要度が高くなるように設定される。バックアップ対象データの種別や数、バックアップ対象データの重要度は、ユーザーが任意に設定できるようにしてもよい。
【００２６】
災害予兆受信部１１２は、インターネット２００に接続されており、インターネット２００を介して、地震の発生を予報する緊急地震速報や、津波警報、竜巻警報等の災害予兆情報を受信する機能を有する。
【００２７】
災害収束兆候判定部１１３は、インターネット２００に接続されており、インターネット２００を介して、発生した地震の規模等を通知する地震速報や、津波警報解除、竜巻警報解除を受信した場合に、災害収束の兆候ありと判定する機能を有する。また、災害収束兆候判定部１１３は、災害予兆受信部１１２により災害予兆情報が受信されると不図示のタイマーをスタートさせ、所定時間内に災害予兆受信部１１２により新たな災害予兆情報が受信されると、タイマーをリセットさせて、災害収束の兆候なしと判定する。所定時間経過しても災害予兆受信部１１２により新たな災害予兆情報が受信されなかった場合には、災害収束兆候判定部１１３は、災害収束の兆候ありと判定する。災害収束兆候判定部１１３は、新たな災害予兆情報が受信されなければ、外部装置３００に記憶された全てのバックアップデータが後述するバックアップ制御処理部１１４により削除されるまで、所定時間間隔で災害収束の兆候ありと判定する。
【００２８】
バックアップ制御処理部１１４は、ＨＤＤ等の記憶装置を備えた外部装置３００と通信可能に接続されている。バックアップ制御処理部１１４と外部装置３００とは、専用回線を介して接続されてもよいし、インターネット２００等のネットワーク網を介して接続されてもよい。バックアップ制御処理部１１４は、災害予兆受信部１１２により災害予兆情報が受信された場合に、バックアップ設定部１１１で設定されたバックアップ対象データに対応するデータを記憶部２からコピーして、コピーしたデータをバックアップデータとして外部装置３００に送信してバックアップする機能を有している。また、バックアップ制御処理部１１４は、災害収束兆候判定部１１３により災害収束の兆候ありと判定される毎に、バックアップ設定部１１１で設定された重要度に基づいて、最も重要度の高いデータから順に外部装置３００のバックアップデータを削除する機能を有する。
【００２９】
図４は、バックアップ制御処理部１１４の状態遷移図である。
【００３０】
通常状態は、外部装置３００にバックアップデータが記憶されていない状態である。通常状態において、災害予兆受信部１１２が災害予兆情報を受信すると、バックアップ制御処理部１１４は、バックアップ対象データの全てを記憶部２からコピーして、全バックアップデータを外部装置３００に待避させ、全データ待避状態に移行する。
【００３１】
全データ退避状態において、災害収束兆候判定部１１３が災害収束の兆候ありと判定すると、バックアップ制御処理部１１４は、外部装置３００に現在記憶されているバックアップデータのうち最も重要度の高いバックアップデータを削除して、一部データ退避状態に移行する。
【００３２】
一部データ退避状態では、災害予兆受信部１１２が災害予兆情報を受信すると、バックアップ制御処理部１１４は、外部装置３００に記憶されているバックアップデータとバックアップ設定部１１１で設定されたバックアップ対象データとの差分をとる。そして、バックアップ制御処理部１１４は、差分に対応するデータを記憶部２からコピーして、差分バックアップデータとして外部装置３００に待避する。これにより、外部装置３００には、全てのバックアップ対象データに対応するバックアップデータが記憶されることになり、バックアップ制御処理部１１４は全データ待避状態に移行する。
【００３３】
一部データ待避状態において、災害収束兆候判定部１１３が災害収束の兆候ありと判定すると、バックアップ制御処理部１１４は、現在外部装置３００に記憶されているバックアップデータのうち最も重要度の高いバックアップデータを削除する。そして、バックアップデータを削除したことによって、外部装置３００からバックアップデータがなくなると、バックアップ制御処理部１１４は通常状態に移行し、外部装置３００にバックアップデータが残っている場合には、一部データ待避状態が維持される。
【００３４】
具体的に図５を参照して、バックアップ制御処理部１１４の処理の流れを説明する。なお、バックアップ制御処理部１１４の処理は通常状態からスタートするものとする。
【００３５】
バックアップ制御処理部１１４は、災害予兆受信部１１２を介して、災害予兆情報を受信したか否かを判定する（ステップｓ１１）。災害予兆情報の受信がなければ（ステップｓ１１でＮｏ）、ステップｓ１１に処理が戻る。
【００３６】
災害予兆情報が受信されると（ステップｓ１１でＹｅｓ）、不図示のタイマーがスタートし、バックアップ制御処理部１１４は、記憶部２に記憶されているデータのうち、バックアップ設定部１１１で設定されたバックアップ対象データに対応する全てのデータをコピーしてバックアップデータを作成し、外部装置３００にバックアップデータを送信する（ステップｓ１２）。全てのバックアップデータが外部装置３００に送信されると、バックアップ制御処理部１１４は全データ待避状態に移行する（ステップｓ１３）。つづいて、バックアップ制御部１１は、災害収束兆候判定部１１３を介して、タイマー値等に基づいて災害収束の兆候があるか判定し（ステップｓ１４）、災害収束の兆候がなければステップｓ１４に処理を戻す。
【００３７】
災害収束の兆候があると（ステップｓ１４でＹｅｓ）、バックアップ制御処理部１１４は、外部装置３００に被害がなかったか判定する（ステップｓ１５）。例えば、バックアップ制御部１１は、外部装置３００と接続可能であった場合に外部装置３００に被害がないと判定し、外部装置３００と接続不可能であった場合に被害があったと判定してもよい。
【００３８】
外部装置３００に被害があった場合には（ステップｓ１５でＮｏ）、バックアップ制御処理部１１４は、外部装置３００に接続できないため、何もしないまま本処理を終了する。
【００３９】
一方、外部装置３００に被害がなかった場合には（ステップｓ１５でＹｅｓ）、バックアップ制御処理部１１４は、バックアップデータ保持情報を外部装置３００から取得する（ステップｓ１６）。バックアップデータ保持情報は、外部装置３００が現在記憶しているバックアップデータの内容を示す情報である。
【００４０】
つづいて、バックアップ制御処理部１１４は、現在外部装置３００に記憶されているバックアップデータのうち、最も重要度の高いバックアップデータを外部装置３００から削除する（ステップｓ１７）。なお、バックアップ制御処理部１１４は、外部装置３００に当該データを削除するよう指示してもよいし、直接外部装置３００から当該データを削除するようにしてもよい。最も重要度の高いバックアップデータを削除すると、バックアップ制御処理部１１４は、一部データ待避状態に移行する（ステップｓ１８）。
【００４１】
つづいて、バックアップ制御処理部１１４は、災害予兆受信部１１２を介して、災害予兆情報を受信したか否かを判定する（ステップｓ１９）。災害予兆情報を受信した場合には（ステップｓ１９でＹｅｓ）、不図示のタイマーがリセットされ、バックアップ制御処理部１１４は、バックアップデータ保持情報を外部装置３００から取得する（ステップｓ２０）。つづいて、バックアップ制御処理部１１４は、バックアップデータ保持情報に基づいて、外部装置３００に記憶されているバックアップデータとバックアップ設定部１１１で設定されたバックアップ対象データとの差分をとり、差分に対応するデータを記憶部２からコピーして外部装置３００に送信する（ステップｓ２１）。このように、差分データをバックアップすることで、ネットワーク負荷を軽減することができる。つづいて、バックアップ制御処理部１１４は、ステップｓ１３に処理を進めることにより、全データ待避状態に移行する。
【００４２】
一方、災害予兆情報の受信がない場合には（ステップｓ１９でＮｏ）、災害収束兆候判定部１１３により、タイマー値等に基づいて災害収束の兆候があるか判定され（ステップｓ２２）、災害収束の兆候がなければ（ステップｓ２２でＮｏ）、ステップｓ１９に処理が戻る。
【００４３】
災害収束の兆候がある場合（ステップｓ２２でＹｅｓ）、バックアップ制御処理部１１４は、バックアップデータ保持情報を外部装置３００から取得し（ステップｓ２３）、現在外部装置３００に記憶されているバックアップデータのうち、最も重要度の高いバックアップデータを削除する（ステップｓ２４）。
【００４４】
つづいて、バックアップ制御処理部１１４は、外部装置３００にバックアップデータが残っているか否かを判定し（ステップｓ２５）、残っている場合には（ステップｓ２５でＹｅｓ）、ステップｓ１９に処理を戻し、ステップｓ１９からステップｓ２５までの処理を繰り返す。
【００４５】
外部装置３００の全てのバックアップデータがなくなると（ステップｓ２５でＮｏ）、バックアップ制御処理部１１４は、通常状態に移行して（ステップｓ２６）、ステップｓ１１に処理を戻す。なお、外部装置３００に記憶されたバックアップデータが所定量以下となった場合に、バックアップ制御処理部１１４は、外部装置３００の全てのバックアップデータがなくなったと判定してもよい。
【００４６】
このように、本実施形態のバックアップ制御部１１は、災害収束の兆候ありと判定した場合、外部装置３００に記憶された全てのバックアップデータを一度に削除するのではなく、重要度の高い順にバックアップデータを段階的に削除している。そのため、機密情報等の流出を防ぐことができ、データのセキュリティー性を高めることができる。また、余震等による新たな災害予兆情報を受信した場合において、外部装置３００には一部のバックアップデータが残った状態であるため、データの保全性を高めることができる。また、外部装置３００には、一部のバックアップデータが残っているため、バックアップ制御部１１は、新たな災害予兆情報によって外部装置３００にバックアップデータを送信する際に、外部装置３００に記憶されていない分の差分データを送信すればよく、ネットワーク負荷を軽減することができる。
【００４７】
本発明は上述した実施の形態に限定されるものではなく、本発明の趣旨を逸脱しない範囲で種々様々に変更が可能であることは言うまでもない。
【００４８】
例えば、災害収束の兆候ありと判定された信頼度に応じて、外部装置３００から削除するバックアップデータの量を変えてもよい。例えば、災害収束兆候判定部１１３が、前回の災害予兆情報の受信から所定時間経過しても新たな災害予兆情報の受信がなかった場合に、災害収束の兆候ありと判定した場合には、バックアップ制御処理部１１４は、現在外部装置３００に記憶されているバックアップデータのうち、最も重要度の高いバックアップデータを１つ削除する。これに対し、災害収束兆候判定部１１３が、インターネット２００を介して津波警報解除、竜巻警報解除を受信したことにより、災害収束の兆候ありと判定した場合には、バックアップ制御処理部１１４は、外部装置３００に記憶されたバックアップデータのうち、重要度の高い順に複数（例えば３つ）のバックアップデータをまとめて削除してもよい。警報解除が通知された場合、新たな災害が起きる可能性が少なく、信頼度が高いからである。また、前回の災害予兆情報の受信から新たな災害予兆情報が受信されるとことなく、災害収束兆候判定部１１３が連続して災害収束の兆候ありと判定した場合には、連続して災害収束の兆候ありと判定される毎に、バックアップ制御処理部１１４は、削除するバックアップデータの数を増やしてもよい。連続して災害収束の兆候ありと判定されるほど、その判定の信頼度が高まるからである。
【００４９】
また、外部装置３００は、バックアップ制御処理部１１４からバックアップデータを受信すると、受信したバックアップデータを暗号化して、暗号化したバックアップデータのみを記憶するようにしてもよい。これによれば、さらにセキュリティー性を高めることができる。また、上記実施形態では、セキュリティー性を重視して、重要度の高いバックアップデータから順に削除したが、データの保全性を重視して、重要度の低いバックアップデータから順に削除するようにしてもよい。
【符号の説明】
【００５０】
１  制御部
２  記憶部
３  画像処理部
４  操作パネル
１１  バックアップ制御部
４１  タッチパネル
４２  操作ボタン
１００  画像形成装置
１１１  バックアップ設定部
１１２  災害予兆受信部
１１３  災害収束兆候判定部
１１４  バックアップ制御処理部
１２０  原稿読取部
１２１  スキャナー
１２２  プラテンガラス
１２３  原稿読取スリット
１３０  原稿給送部
１３１  原稿載置部
１３２  原稿排出部
１３３  原稿搬送機構
１４０  記録部
１５０  画像形成部
１５１  感光体ドラム
１５２  帯電部
１５３  露光部
１５４  現像部
１５５  転写部
１５６  クリーニング部
１５７  定着部
１６０  給紙部
１６１ａ〜ｄ  給紙カセット
１６２  給紙ローラー
１７０  搬送路
１８１  搬送ローラー
１８２  排出ローラー
１９０  胴内排出トレイ
１９１  排紙空間
２００  インターネット
３００  外部装置
【図１】
2016049668.tif 000003
【図２】
2016049668.tif 000004
【図３】
2016049668.tif 000005
【図４】
2016049668.tif 000006
【図５】
2016049668.tif 000007